(57)【特許請求の範囲】
【請求項１】
ワイヤハーネスの幹線の端末に取り付けられた第１のコネクタの近傍に、支線の端末に取り付けられた第２のコネクタを配置してテープ巻き固定することで、第１、第２のコネクタを幹線の軸線上に並設してなるワイヤハーネスを組み立てる方法であって、
ワイヤハーネスの組立作業板上には、幹線の端末に取り付けられた上記第１のコネクタの受位置と、幹線から分岐する電線束の分岐起点の受位置にそれぞれ電線保持具を立設すると共に、上記幹線の布線経路中には、上記第１のコネクタの電線保持具に隣接して、上記幹線と支線の両方を保持可能な共用保持具を立設し、
上記電線保持具および共用保持具に沿って上記第１のコネクタを備えた幹線を布線すると共に、上記第２のコネクタを備えた支線を上記幹線に沿って布線し、上記第２のコネクタを上記共用保持具に保持することで上記第２のコネクタを第１のコネクタの近傍に配置し、次いで上記第２のコネクタを上記幹線にテープ巻き固定するようにしたことを特徴とするワイヤハーネスの組立方法。
【発明の詳細な説明】
【０００１】
【発明の属する技術分野】
本発明は、ワイヤハーネスの組立方法に関し、幹線の端末に複数のコネクタを並設するワイヤハーネスの組み立てに際し、その組立工数の削減を図るようにするものである。
【０００２】
【従来の技術】
一般に自動車用ワイヤハーネスは、特開平８−２４９９３５号公報に記載されているように、幹線１から分岐した支線２を備えてており、幹線１および支線２の端末にはコネクタＣ１、Ｃ２が取り付けられている（図４（Ａ））。このような分岐した支線２を有するワイヤハーネスは、図４（Ｂ）に示すように、組立作業板３上に多数立設された電線保持具４に沿って電線を布線することで組み立てられる。そして、幹線１から分岐する支線２を組み立てるには、その分岐の起点Ｐ１と分岐先端Ｐ２にそれぞれ分岐用電線保持具５を立設し、この分岐用電線保持具５に沿って支線２およびコネクタＣ２を保持させるようにしている。
【０００３】
ところで、ワイヤハーネス１０に取り付けた複数のコネクタＣ１１、Ｃ１２を同一の機器に接続する場合、ワイヤハーネス１０の形態としては、図５（Ａ）に示すようなものとなる。即ち、幹線１１の端末に取り付けたコネクタＣ１１の近傍に、支線１２に取り付けたコネクタＣ１２を所要間隔で配置固定する必要があるため、コネクタＣ１２はテープＴ１にて幹線１１に固定されると共に、支線１２の中間適宜位置もテープＴ２により幹線１１に固定される。そして、このようなワイヤハーネス１０を組み立てるには、図５（Ｂ）に示すように、組立作業板１３上において、幹線１１を保持するための電線保持具１４とは別個に、幹線１１の布線経路中に支線１２の分岐起点Ｐ１１および幹線１１の布線経路から所要角度開いた分岐経路の分岐先端Ｐ１２に、それぞれ電線保持具１５ａ、１５ｂを設置する必要がある。そして、支線１２の組み立てに際しては、先ず、図５（Ｂ）に２点鎖線で示すように、支線１２は、一旦分岐起点Ｐ１１の電線保持具１５ａから分岐させて先端のコネクタＣ１２を分岐先端Ｐ１２の電線保持具１５ｂ保持させる。次いで、幹線１１のコネクタＣ１１に対する後入れの端子等の処理が完了した時点で、実線で示すように、支線１２のコネクタＣ１２を電線保持具１５ｂから外すと共に幹線１１上に載置してテープＴ１で固定するようにしている。
【０００４】
【発明が解決しようとする課題】
上記の仕様によるワイヤハーネス１０は、最終的に支線１２のコネクタＣ１２を幹線１１に固定するものであるため、結果的に一旦分岐先端Ｐ１２にコネクタＣ１２を保持させておく作業および、これから取り外して幹線１１上に配置する作業が余分となり、工数が増加するという問題がある。また、これに伴ない、分岐先端Ｐ１２の電線保持具１５ｂ自体の設置とそのスペースが無駄となるという問題もあった。
【０００５】
本発明は上記した問題に鑑みてなされたもので、組み立て時に支線を分岐することなく上記仕様のワイヤハーネスを組み立て可能な方法を提供することを課題としている。
【０００６】
【課題を解決するための手段】
上記目的を達成するため、本発明は、ワイヤハーネスの幹線の端末に取り付けられた第１のコネクタの近傍に、支線の端末に取り付けられた第２のコネクタを配置してテープ巻き固定することで、第１、第２のコネクタを幹線の軸線上に並設してなるワイヤハーネスを組み立てる方法であって、
ワイヤハーネスの組立作業板上には、幹線の端末に取り付けられた上記第１のコネクタの受位置と、幹線から分岐する電線束の分岐起点の受位置にそれぞれ電線保持具を立設すると共に、上記幹線の布線経路中には、上記第１のコネクタの電線保持具に隣接して、上記幹線と支線の両方を保持可能な共用保持具を立設し、
上記電線保持具および共用保持具に沿って上記第１のコネクタを備えた幹線を布線すると共に、上記第２のコネクタを備えた支線を上記幹線に沿って布線し、上記第２のコネクタを上記共用保持具に保持することで上記第２のコネクタを第１のコネクタの近傍に配置し、次いで上記第２のコネクタを上記幹線にテープ巻き固定するようにしたことを特徴とするワイヤハーネスの組み立て方法を提供している。
【０００７】
上記構成とすると、支線は、幹線の布線経路と一致する経路に布線するのみでよく、分岐させる必要がなく、組み立て工程を簡素化することができる。これに伴ない、従来分岐起点と分岐先端に用いていた二つの電線保持具を一つの共用保持具とすることができる。
【０００８】
より具体的には、上記方法で組み立て可能なワイヤハーネスとしては、支線に取り付けた第２のコネクタには、後入れ用の端子が挿通される設定でないことが好ましい。第２のコネクタの保持位置に幹線が通過するため後入れ端子の挿入操作がし難くなるためである。また、幹線の電線本数は、幹線によって第２のコネクタが埋もれてしまわない程度に少ない設定となっていることが好ましい。
【０００９】
【発明の実施の形態】
以下、本発明の実施形態を図面を参照して説明する。
図１は、本発明により組み立てるべきワイヤハーネスＷ／Ｈを示し、一例としてホーンに接続されるホーン回路を構成するものを示している。このワイヤハーネスＷ／Ｈは、幹線２１の端末に取り付けられた第１のコネクタＣ２１（ホーンのマイナス側）と、該第１のコネクタＣ２１の近傍で所要間隔位置に配置され、支線２２の端末に取り付けられた第２のコネクタＣ２２（ホーンのプラス側）と、幹線２１の経路中には、他の機器に接続するために分岐した第３のコネクタＣ２３とを備えている。そして、第２のコネクタＣ２２および支線２２は、幹線２１に対し、２箇所をテープＴ２１、Ｔ２２により巻き付け固定している。図２は、上記形態のワイヤハーネスＷ／Ｈを組み立てるための設計図を示し、第１のコネクタＣ２１と第２のコネクタＣ２２との間の寸法Ｌ１は２０ｍｍ、第２のコネクタＣ２２のテープＴ２１による固定位置と、分岐線の第３のコネクタＣ２３と分岐起点Ｐ２１との間の寸法Ｌ２は３００ｍｍとされている。なお、支線２２の途中は、バラケを防止するために、テープＴ２２で固定されるが、その位置は正確に定める必要はない。
【００１０】
図３（Ａ）〜（Ｃ）は、上記仕様のワイヤハーネスＷ／Ｈを組み立てる工程を示している。組立作業板２３上には、幹線２１の第１のコネクタＣ２１の受位置と、幹線２１から分岐する第３のコネクタＣ２３の電線束２４の分岐起点Ｐ２１の受位置にそれぞれ電線保持具２５ａ、２５ｂを立設すると共に、第３のコネクタＣ２３用の分岐端の電線保持具２５ｃを立設している。また、幹線２１の布線経路中において、第１のコネクタＣ２１を保持する電線保持具２５ａの隣接位置には、幹線２１と支線２２の両方を共用して保持可能な大きさの共用保持具２６を立設している。この共用保持具２６と電線保持具２５ａとの間隔は、第１のコネクタＣ２１と第２のコネクタＣ２２との所要間隔に合致させるようにしている。
【００１１】
上記組立作業板２３上でワイヤハーネスＷ／Ｈを組み立てるには、先ず、電線保持具２５ａ、２５ｂおよび共用保持具２６に沿って幹線２１を布線し、先端の第１のコネクタＣ２１を電線保持具２５ａに保持させる。そして、他の仮結束の電線束２４を分岐起点Ｐ２１から分岐させて第３のコネクタＣ２３を電線保持具２５ｃに保持させる。次いで、図３（Ｂ）に示すように、第２のコネクタＣ２２を備えた支線２２を幹線２１と同じ経路に沿って布線すると共に、第２のコネクタＣ２２を共用保持具２６に保持させて第１のコネクタＣ２１の近傍に位置決めする。
【００１２】
そして、第１のコネクタＣ２１に対し、他の仮結束の後入れ端子の挿入処理をした後、共用保持具２６の位置で、幹線２１と支線２２とをまとめてテープＴ２１を巻き付けることにより、第２のコネクタＣ２２を幹線２１の軸線上の所要位置に並設固定する。また、電線保持具２５ａ、２５ｂの略中間位置において、支線２２のバラケ防止のため、テープＴ２２を巻き付けて支線２２を幹線２１に固定する。
【００１３】
【発明の効果】
以上の説明より明らかなように、本発明のワイヤハーネスの組み立て方法によれば、幹線の端末とその近傍位置に複数のコネクタを配置するワイヤハーネスの組み立てに際し、従来の方法に比し、組み立てに必要な電線保持具の削減と、組立作業板上の占有スペースの削減を図ることができる。これに伴ない、従来のような支線の幹線への合体処理の操作がなくなるので組み立て工数の削減をも図ることができる。
【図面の簡単な説明】
【図１】  本発明のワイヤハーネスの組み立て方法により組み立てられるワイヤハーネスを示す斜視図である。
【図２】  ワイヤハーネスの設計図である。
【図３】  （Ａ）（Ｂ）（Ｃ）はワイヤハーネスの組み立て工程を示す斜視図である。
【図４】  （Ａ）（Ｂ）は従来例を示す斜視図である。
【図５】  （Ａ）（Ｂ）は本発明と同様のワイヤハーネスを組み立てる従来例を示す斜視図である。
【符号の説明】
Ｗ／Ｈ  ワイヤハーネス
Ｔ２１、Ｔ２２  テープ
Ｃ２１  第１のコネクタ
Ｃ２２  第２のコネクタ
Ｐ２１  分岐起点
２１  幹線
２２  支線
２３  組立作業板
２４  電線束
２５ａ、２５ｂ、２５ｃ  電線保持具
２６  共用保持具
【図１】
0003707359.tif 000002
【図２】
0003707359.tif 000003
【図３】
0003707359.tif 000004
【図４】
0003707359.tif 000005
【図５】
0003707359.tif 000006